(57)【要約】【課題】停止位置決定テーブルを抽選で選択することなく、役の抽選結果が同一であっても異なる複数パターンの停止出目を出現させる。【解決手段】リール制御手段６３は、役抽選手段６１による役の抽選結果に対応する第１停止位置決定テーブル６３ａを選択し、第１ストップスイッチ４２が操作されたときに、第１停止位置決定テーブル６３ａに従って、第１リール３１を停止させるように制御する。第１リール停止受付け位置、第１リール移動図柄数又は第１リール停止位置、及び第２リール停止受付け位置に基づいて、複数の第２停止位置決定テーブル６３ａの中から当該遊技で用いるいずれか１つの第２停止位置決定テーブル６３ａが定まるようにし、第２ストップスイッチ４２が操作されたときに、第２停止位置決定テーブル６３ａに従って、第２リール３１を停止させるように制御する。【選択図】図１
2009125390.tif 000002
【特許請求の範囲】
【請求項１】
複数種類の図柄を表示した複数のリールと、
前記リールの回転を開始させるときに遊技者が操作するスタートスイッチと、
前記スタートスイッチが操作されたときに、役の抽選を行う役抽選手段と、
各前記リールに対応して設けられ、遊技者が前記リールの回転を停止させるときに操作するストップスイッチと、
前記役抽選手段による役の抽選結果ごとに設けられ、前記ストップスイッチが操作された瞬間の前記リールの位置に対応する前記リールの停止位置を定めた停止位置決定テーブルと、
前記スタートスイッチが操作されたときに前記リールの回転を開始するとともに、前記ストップスイッチが操作されたときに、前記役抽選手段による役の抽選結果に対応する前記停止位置決定テーブルに従って、そのストップスイッチに対応する前記リールを停止するように制御するリール制御手段と
を備え、
１番目に操作される前記ストップスイッチを第１ストップスイッチ、
２番目に操作される前記ストップスイッチを第２ストップスイッチ、
前記第１ストップスイッチの操作によって停止する前記リールを第１リール、
前記第２ストップスイッチの操作によって停止する前記リールを第２リール、
前記第１リールを停止させるための前記停止位置決定テーブルを第１停止位置決定テーブル、
前記第２リールを停止させるための前記停止位置決定テーブルを第２停止位置決定テーブル、
前記第１ストップスイッチが操作された瞬間の前記第１リールの位置を第１リール停止受付け位置、
前記第１リールが停止した位置を第１リール停止位置、
前記第１リール停止受付け位置から前記第１リール停止位置までを第１リール移動図柄数、
前記第２ストップスイッチが操作された瞬間の前記第２リールの位置を第２リール停止受付け位置
としたとき、
前記リール制御手段は、
前記役抽選手段による役の抽選結果に対応する前記第１停止位置決定テーブルを選択し、
前記第１ストップスイッチが操作されたときに、前記第１停止位置決定テーブルに従って、前記第１リールを停止させるように制御し、
前記第１リール停止受付け位置、前記第１リール移動図柄数又は前記第１リール停止位置、及び前記第２リール停止受付け位置に基づいて、複数の前記第２停止位置決定テーブルの中から当該遊技で用いるいずれか１つの前記第２停止位置決定テーブルが定まるようにし、
前記第２ストップスイッチが操作されたときに、前記第２停止位置決定テーブルに従って、前記第２リールを停止させるように制御する
ことを特徴とするスロットマシン。
【請求項２】
請求項１に記載のスロットマシンにおいて、
前記リール及び前記ストップスイッチは、それぞれ３個備え、
３番目に操作される前記ストップスイッチを第３ストップスイッチ、
前記第３ストップスイッチの操作によって停止する前記リールを第３リール、
前記第３リールを停止させるための前記停止位置決定テーブルを第３停止位置決定テーブル、
前記第３ストップスイッチが操作された瞬間の前記第３リールの位置を第３リール停止受付け位置、
前記第２リールが停止した位置を第２リール停止位置、
前記第２リール停止受付け位置から前記第２リール停止位置までを第２リール移動図柄数
としたとき、
前記リール制御手段は、
前記第１リール停止受付け位置、前記第１リール移動図柄数又は前記第１リール停止位置、前記第２リール停止受付け位置、前記第２リール移動図柄数又は前記第２リール停止位置、及び前記第３リール停止受付け位置に基づいて、複数の前記第３停止位置決定テーブルの中から当該遊技で用いるいずれか１つの前記第３停止位置決定テーブルが定まるようにし、
前記第３ストップスイッチが操作されたときに、前記第３停止位置決定テーブルに従って、前記第３リールを停止させるように制御する
ことを特徴とするスロットマシン。
【請求項３】
請求項１に記載のスロットマシンにおいて、
前記リール制御手段は、
前記第２リール停止受付け位置と前記第１リール移動図柄数とから導かれる所定値Ａ１に対応する変数Ｂ１を、複数のパターンＣ１ごとに定めた変数データテーブルＤ１を備え、
前記第１リール停止受付け位置によって、前記第２停止位置決定テーブルの基準番号Ｅ１と、前記変数データテーブルの１つの前記パターンＣ１とが定まるようにし、
前記第２ストップスイッチが操作されたときに、前記第２リール停止受付け位置と前記第１リール移動図柄数とから前記所定値Ａ１を算出するとともに、前記変数データテーブルＤ１を参照して前記所定値Ａ１及び前記パターンＣ１に対応する前記変数Ｂ１を定め、
前記第２停止位置決定テーブルの前記基準番号Ｅ１と前記変数Ｂ１とから、当該遊技で用いる前記第２停止位置決定テーブルを定める
ことを特徴とするスロットマシン。
【請求項４】
請求項３に記載のスロットマシンにおいて、
前記リール及び前記ストップスイッチは、それぞれ３個備え、
３番目に操作される前記ストップスイッチを第３ストップスイッチ、
前記第３ストップスイッチの操作によって停止する前記リールを第３リール、
前記第３リールを停止させるための前記停止位置決定テーブルを第３停止位置決定テーブル、
前記第３ストップスイッチが操作された瞬間の前記第３リールの位置を第３リール停止受付け位置、
前記第２リールが停止した位置を第２リール停止位置、
前記第２リール停止受付け位置から前記第２リール停止位置までを第２リール移動図柄数
としたとき、
前記リール制御手段は、
前記第３リール停止受付け位置と前記第２リール移動図柄数とから導かれる所定値Ａ２に対応する変数Ｂ２を、複数のパターンＣ２ごとに定めた変数データテーブルＤ２を備え、
前記第１リール停止受付け位置によって、前記第３停止位置決定テーブルの基準番号Ｅ２と、前記変数データテーブルの１つの前記パターンＣ２とが定まるようにし、
前記第３ストップスイッチが操作されたときに、前記第３リール停止受付け位置と前記第２リール移動図柄数とから前記所定値Ａ２を算出するとともに、前記変数データテーブルＤ２を参照して前記所定値Ａ２及び前記パターンＣ２に対応する前記変数Ｂ２を定め、
前記第３停止位置決定テーブルの前記基準番号Ｅ２と前記変数Ｂ２とから、当該遊技で用いる前記第３停止位置決定テーブルを定め、
前記第３ストップスイッチが操作されたときに、前記第３停止位置決定テーブルに従って、前記第３リールを停止させるように制御する
ことを特徴とするスロットマシン。
【発明の詳細な説明】
【技術分野】
【０００１】
本発明は、役の抽選結果に対応するリールの停止位置を定めた停止位置決定テーブルを、抽選を行うことなく選択するとともに、リールの停止時における図柄の組合せがワンパターンにならないようにしたスロットマシンに関するものである。
【背景技術】
【０００２】
従来より、スロットマシンでは、遊技者によりスタートスイッチが操作されると、リールの回転を開始するとともに役の抽選が行われ、遊技者によりストップスイッチが操作されると、役の抽選結果に基づいてリールを停止制御している。
【０００３】
具体的は、役の抽選が行われると、役の抽選結果に対応する停止位置決定テーブル（リールの停止位置を定めたもの）が選択され、その停止位置決定テーブルに従ってリールを停止制御している（例えば、特許文献１参照）。すなわち、例えば非当選の遊技で選択される停止位置決定テーブルでは、全てのリールの停止時に、いずれの役に対応する図柄の組合せも有効ラインに停止しないように、リールの停止位置が定められている。一方、例えば小役の当選の遊技で選択される停止位置決定テーブルでは、全てのリールの停止時に、できる限り、当選した小役に対応する図柄の組合せが有効ラインに停止するように、リールの停止位置が定められている。
【特許文献１】特開２００７−１５１８１６号公報
【０００４】
ここで、従来のスロットマシンのうち、４号機における停止位置決定テーブルは、役の抽選結果ごとに複数種類設けられているとともに、当選役（非当選を含む）が決まると、抽選によって、いずれか１つの停止位置決定テーブルを選択していた。
このように、毎遊技、停止位置決定テーブルを抽選で選択することで、役の抽選結果が同一である遊技が連続しても（例えば非当選の遊技が連続しても）、リールの停止時の態様（表示窓に表示される図柄の組合せ）が異なるようにすることで、図柄の組合せの多様化を図っていた。
【０００５】
しかし、近年、抽選で停止位置決定テーブルを選択することは、好ましくないという意見があった。そこで、スロットマシンのうち、今日の５号機においては、役の抽選結果に対応する停止位置決定テーブルは、１つのみとし、毎遊技、役の抽選結果に対応する停止位置決定テーブルに従って、リールを停止制御するようにしている。
【発明の開示】
【発明が解決しようとする課題】
【０００６】
しかし、前述の従来の技術（５号機のスロットマシン）において、上級の遊技者は、当選した小役を取りこぼすことがないように、毎遊技、一定位置で（特定の図柄が特定の有効ラインを通過する瞬間に）ストップスイッチを操作している。例えば、０番〜２０番までの図柄のうち、９番の図柄が水平方向中段の有効ラインを通過する直前にストップスイッチを押す、等である。
このため、停止位置決定テーブルが同一であると、役の抽選結果がすぐに（例えば最初のリールを停止させた時点で）遊技者に察知されてしまうという問題がある。
【０００７】
具体的には、例えば非当選時に用いられる停止位置決定テーブルでは、９番の図柄が水平方向中段の有効ラインを通過する直前にストップスイッチを押すと、２図柄だけ移動して１１番の図柄が前記有効ラインに停止するように定められているとする。そして、小役当選時、リプレイ当選時、及び特別役当選時（及び内部中）には、上記の位置でストップスイッチを押しても上記の位置でリールが停止しないように停止位置決定テーブルでリールの停止位置が定められているとする。この場合には、９番の図柄が上記有効ラインを通過する直前にストップスイッチを押して、１１番の図柄が上記有効ラインに停止したときは、当該遊技では、いずれの役にも当選していないことがすぐにわかってしまう。
【０００８】
したがって、停止出目がワンパターンになり、その結果、飽きられやすい台となり、ひいてはスロットマシンの稼働率が低下するという問題があった。また、たとえ特別役に当選したか否かの熱い演出を出力しても、停止出目で非当選がわかれば、遊技者に期待を与えることができないという問題があった。
【０００９】
そこで、本発明が解決しようとする課題は、停止位置決定テーブルを抽選で選択することなく、役の抽選結果が同一であっても異なる複数パターンの停止出目を出現させることである。
【課題を解決するための手段】
【００１０】
本発明は、以下の解決手段によって、上述の課題を解決する。
請求項１の発明は、複数種類の図柄を表示した複数のリールと、前記リールの回転を開始させるときに遊技者が操作するスタートスイッチと、前記スタートスイッチが操作されたときに、役の抽選を行う役抽選手段と、各前記リールに対応して設けられ、遊技者が前記リールの回転を停止させるときに操作するストップスイッチと、前記役抽選手段による役の抽選結果ごとに設けられ、前記ストップスイッチが操作された瞬間の前記リールの位置に対応する前記リールの停止位置を定めた停止位置決定テーブルと、前記スタートスイッチが操作されたときに前記リールの回転を開始するとともに、前記ストップスイッチが操作されたときに、前記役抽選手段による役の抽選結果に対応する前記停止位置決定テーブルに従って、そのストップスイッチに対応する前記リールを停止するように制御するリール制御手段とを備え、１番目に操作される前記ストップスイッチを第１ストップスイッチ、２番目に操作される前記ストップスイッチを第２ストップスイッチ、前記第１ストップスイッチの操作によって停止する前記リールを第１リール、前記第２ストップスイッチの操作によって停止する前記リールを第２リール、前記第１リールを停止させるための前記停止位置決定テーブルを第１停止位置決定テーブル、前記第２リールを停止させるための前記停止位置決定テーブルを第２停止位置決定テーブル、前記第１ストップスイッチが操作された瞬間の前記第１リールの位置を第１リール停止受付け位置、前記第１リールが停止した位置を第１リール停止位置、前記第１リール停止受付け位置から前記第１リール停止位置までを第１リール移動図柄数、前記第２ストップスイッチが操作された瞬間の前記第２リールの位置を第２リール停止受付け位置としたとき、前記リール制御手段は、前記役抽選手段による役の抽選結果に対応する前記第１停止位置決定テーブルを選択し、前記第１ストップスイッチが操作されたときに、前記第１停止位置決定テーブルに従って、前記第１リールを停止させるように制御し、前記第１リール停止受付け位置、前記第１リール移動図柄数又は前記第１リール停止位置、及び前記第２リール停止受付け位置に基づいて、複数の前記第２停止位置決定テーブルの中から当該遊技で用いるいずれか１つの前記第２停止位置決定テーブルが定まるようにし、前記第２ストップスイッチが操作されたときに、前記第２停止位置決定テーブルに従って、前記第２リールを停止させるように制御することを特徴とする。
【００１１】
請求項２の発明は、請求項１に記載のスロットマシンにおいて、前記リール及び前記ストップスイッチは、それぞれ３個備え、３番目に操作される前記ストップスイッチを第３ストップスイッチ、前記第３ストップスイッチの操作によって停止する前記リールを第３リール、前記第３リールを停止させるための前記停止位置決定テーブルを第３停止位置決定テーブル、前記第３ストップスイッチが操作された瞬間の前記第３リールの位置を第３リール停止受付け位置、前記第２リールが停止した位置を第２リール停止位置、前記第２リール停止受付け位置から前記第２リール停止位置までを第２リール移動図柄数としたとき、前記リール制御手段は、前記第１リール停止受付け位置、前記第１リール移動図柄数又は前記第１リール停止位置、前記第２リール停止受付け位置、前記第２リール移動図柄数又は前記第２リール停止位置、及び前記第３リール停止受付け位置に基づいて、複数の前記第３停止位置決定テーブルの中から当該遊技で用いるいずれか１つの前記第３停止位置決定テーブルが定まるようにし、前記第３ストップスイッチが操作されたときに、前記第３停止位置決定テーブルに従って、前記第３リールを停止させるように制御することを特徴とする。
【００１２】
請求項３の発明は、請求項１に記載のスロットマシンにおいて、前記リール制御手段は、前記第２リール停止受付け位置と前記第１リール移動図柄数とから導かれる所定値Ａ１に対応する変数Ｂ１を、複数のパターンＣ１ごとに定めた変数データテーブルＤ１を備え、前記第１リール停止受付け位置によって、前記第２停止位置決定テーブルの基準番号Ｅ１と、前記変数データテーブルの１つの前記パターンＣ１とが定まるようにし、前記第２ストップスイッチが操作されたときに、前記第２リール停止受付け位置と前記第１リール移動図柄数とから前記所定値Ａ１を算出するとともに、前記変数データテーブルＤ１を参照して前記所定値Ａ１及び前記パターンＣ１に対応する前記変数Ｂ１を定め、前記第２停止位置決定テーブルの前記基準番号Ｅ１と前記変数Ｂ１とから、当該遊技で用いる前記第２停止位置決定テーブルを定めることを特徴とする。
【００１３】
請求項４の発明は、請求項３に記載のスロットマシンにおいて、前記リール及び前記ストップスイッチは、それぞれ３個備え、３番目に操作される前記ストップスイッチを第３ストップスイッチ、前記第３ストップスイッチの操作によって停止する前記リールを第３リール、前記第３リールを停止させるための前記停止位置決定テーブルを第３停止位置決定テーブル、前記第３ストップスイッチが操作された瞬間の前記第３リールの位置を第３リール停止受付け位置、前記第２リールが停止した位置を第２リール停止位置、前記第２リール停止受付け位置から前記第２リール停止位置までを第２リール移動図柄数としたとき、前記リール制御手段は、前記第３リール停止受付け位置と前記第２リール移動図柄数とから導かれる所定値Ａ２に対応する変数Ｂ２を、複数のパターンＣ２ごとに定めた変数データテーブルＤ２を備え、前記第１リール停止受付け位置によって、前記第３停止位置決定テーブルの基準番号Ｅ２と、前記変数データテーブルの１つの前記パターンＣ２とが定まるようにし、前記第３ストップスイッチが操作されたときに、前記第３リール停止受付け位置と前記第２リール移動図柄数とから前記所定値Ａ２を算出するとともに、前記変数データテーブルＤ２を参照して前記所定値Ａ２及び前記パターンＣ２に対応する前記変数Ｂ２を定め、前記第３停止位置決定テーブルの前記基準番号Ｅ２と前記変数Ｂ２とから、当該遊技で用いる前記第３停止位置決定テーブルを定め、前記第３ストップスイッチが操作されたときに、前記第３停止位置決定テーブルに従って、前記第３リールを停止させるように制御することを特徴とする。
【００１４】
（作用）
本発明においては、第１リールの停止位置は、役抽選手段による役の抽選結果に対応して決定される。さらに、第２リールの停止位置は、第１リール停止受付け位置、第１リール移動図柄数又は第１リール停止位置、及び第２リール停止受付け位置に基づいて決定される。
【００１５】
なお、請求項１及び請求項３については、リール数が２個の場合についても適用される。また、請求項１及び請求項３の発明において、リール数が３個以上の場合には、第１リール及び第２リール以外のリールについての停止位置の決定方法については、不問である（本発明に準ずる停止方法でも良く、従来より公知の停止停止方法であっても良い）。
【発明の効果】
【００１６】
本発明によれば、第２リールの停止位置を決定するための因子（ファクター）が複数有するので、役の抽選結果が同一であっても異なる複数パターンの停止出目を出現させることができる。その結果、飽きがこない（出目が単調でない）スロットマシンを提供することができる。
【発明を実施するための最良の形態】
【００１７】
以下、図面等を参照して、本発明の一実施形態について説明する。図１は、本実施形態におけるスロットマシン１０の制御の概略を示すブロック図である。
スロットマシン１０の遊技制御手段６０は、スロットマシン１０の全体を制御する手段であり、役の抽選、リール３１の駆動制御、入賞時の払出し、及び演出の出力等を制御するものである。遊技制御手段６０は、制御基板（図示せず）上に設けられており、演算等を行うＣＰＵ、遊技の進行等や演出の出力に必要なプログラム等を記憶しておくＲＯＭ、ＣＰＵが各種の制御を行うときに取り込んだデータ等を一時的に記憶しておくＲＡＭ等を備える。
【００１８】
図１に示すように、遊技制御手段６０の入力側（図１中、左側）には、ベットスイッチ４０、スタートスイッチ４１、及びストップスイッチ４２が電気的に接続されている。
ベットスイッチ４０は、遊技者が貯留メダルを当該遊技のために投入するときに操作するスイッチであって、その操作によって有効ラインが設定されるスイッチである。
また、スタートスイッチ４１は、リール３１を始動させるときに遊技者が操作するスイッチである。
さらにまた、ストップスイッチ４２は、３つのリール３１に対応して３つ設けられ、対応するリール３１を停止させるときに遊技者が操作するスイッチである。
【００１９】
さらに、メダル投入口４３は、実際のメダルを遊技者が投入する部分であり、メダル投入口４３からメダルを投入することは、ベットスイッチ４０を操作することと同様の役割を果たす。
【００２０】
遊技制御手段６０の出力側（図１中、右側）には、以下に示すモータ３２等の周辺機器が電気的に接続されている。
モータ３２は、リール３１を回転させるためのものであり、リール３１の回転中心部に連結され、遊技制御手段６０によって制御される。ここで、リール３１は、左リール３１、中リール３１、右リール３１からなり、左リール３１を停止させるときに操作するストップスイッチ４２が左ストップスイッチ４２であり、中リール３１を停止させるときに操作するストップスイッチ４２が中ストップスイッチ４２であり、右リール３１を停止させるときに操作するストップスイッチ４２が右ストップスイッチ４２である。
【００２１】
リール３１は、リング状のものであって、その外周面には複数種類の図柄（役に対応する図柄の組合せを構成している図柄等）を印刷したリールテープを貼付したものである。図２は、本実施形態のリール３１を展開して示す図である。なお、図２では、図柄番号を併せて図示している。図２に示すように、本実施形態では、各リール３１ごとに、２１個の図柄が等間隔で配置されている（図柄が設けられず、ブランクとなっている箇所も存在する）。
【００２２】
また、図３は、スロットマシン１０のフロントマスク部（前面扉。図示せず。）に設けられた表示窓（透明窓）１１と、リール３１との関係を示す図である。リール３１は、本実施形態では横方向に並列に３つ設けられている。また、各リール３１は、表示窓１１から、上下に連続する３図柄が見えるように配置されている。よって、スロットマシン１０の表示窓１１から、合計９個の図柄が見えるように配置されている。
【００２３】
また、図３に示すように、スロットマシン１０の表示窓１１を含む部分には、図柄組合せライン（有効ライン）が設けられている。
ここで、「図柄組合せライン」とは、リール３１の停止時における図柄の並びラインであって図柄の組合せを形成させるラインである。本実施形態では、水平方向の上段、中段及び下段にそれぞれ設けられた水平方向の３本の図柄組合せラインＬ１〜Ｌ３と、右下がり及び左下がりの斜め方向の２本の図柄組合せラインＬ４及びＬ５との合計５本から構成されている。そして、各リール３１の上下に連続する３図柄は、それぞれ１以上の図柄組合せラインＬ１〜Ｌ５上に位置している。
【００２４】
さらに、５本の図柄組合せラインの中から、有効ラインと無効ラインとが設定される。
ここで、「有効ライン」とは、本実施形態では、いずれかの役に対応する図柄の組合せがそのラインに停止したときに、その役の入賞となるラインである。
一方、「無効ライン」とは、図柄組合せラインのうち、有効ラインとして設定されないラインであって、いずれかの役に対応する図柄の組合せがそのラインに停止した場合であっても、その役に応じた利益の付与（メダルの払出し等）を行わないラインである。すなわち、無効ラインは、そもそも図柄の組合せの成立対象となっていないラインである。
【００２５】
本実施形態では、遊技中は、いずれも、３枚のメダルを投入して、５本全ての図柄組合せラインＬ１〜Ｌ５を有効ラインに設定して遊技を行うようになっている。
なお、これに限らず、メダル投入枚数が１枚のときは水平方向中段の１本の図柄組合せラインＬ１を有効ラインに設定して遊技を行うことや、メダル投入枚数が２枚のときは水平方向の３本の図柄組合せラインＬ１〜Ｌ３を有効ラインに設定して遊技を行うようにしても良い。
【００２６】
また、図１において、遊技制御手段６０の出力側には、ランプ２１、スピーカ２２、及び画像表示装置２３等の演出出力機器が電気的に接続されている。
ランプ２１は、スロットマシン１０の演出用のランプであり、所定の条件を満たしたときに、それぞれ所定のパターンで点灯する。なお、ランプ２１には、各リール３１の内周側に配置され、リール３１に表示された図柄（表示窓１１から見える上下に連続する３図柄）を背後から照らすためのバックランプ（図示せず）や、スロットマシン１０の筐体前面に配置され、役の入賞時等に点滅する上部ランプ及びサイドランプ（図示せず）等が含まれる。
【００２７】
また、スピーカ２２は、遊技中に各種の演出を行うべく、所定の条件を満たしたときに、所定のサウンドを出力するものである。
さらにまた、画像表示装置２３は、液晶画像表示装置やドットディスプレイ等からなるものであり、遊技中に各種の演出画像や所定の情報等を表示するものである。
【００２８】
図４は、本実施形態における役（後述する役抽選手段６１で抽選される役）の種類、払出し枚数等、及び図柄の組合せを示す図である。図４に示すように、役としては、特別役、小役、及びリプレイが設けられている。
【００２９】
特別役とは、通常遊技から特別遊技（通常遊技以上にメダルの獲得が期待できる遊技）に移行させる役である。本実施形態では、図４に示すように、特別役として、ＢＢ（第１種ビッグボーナス）、及びＲＢ（レギュラーボーナス）が設けられている。ＢＢは、特別遊技の１つであるＢＢ遊技に移行させる役であり、ＲＢは、特別遊技の他の１つであるＲＢ遊技に移行させる役である。
なお、他の特別役として、ＭＢ（ミドルボーナス。２ＢＢ（第２種ビックボーナス）ともいう。）、ＳＢ（シングルボーナス）が挙げられるが、本実施形態では設けられていない。
【００３０】
さらにまた、小役とは、予め定められた枚数のメダルが払い出される役であり、本実施形態では、小役１、小役２、及び小役３の３種類が設けられている。そして、各小役ごとに、払出し枚数及び図柄の組合せが設定されている。
さらに、リプレイとは、再遊技役であって、当該遊技で投入したメダル枚数を維持した再遊技が行えるようにした役である。
【００３１】
さらに、図４に示すように、以上の各種の役に対応する、リール３１の図柄の組合せが予め定められている。なお、小役１における「ａｎｙ」とは、どの図柄でも良いことを意味する。
そして、全てのリール３１の停止時に、いずれかの役に対応する図柄の組合せが有効ラインに停止し、その役の入賞となったときは、その役に対応する枚数のメダルが払い出される。
【００３２】
上述した各役において、役に当選した遊技でその役に対応する図柄の組合せが有効ラインに停止しなかったときは、次遊技以降に持ち越される役と、持ち越されない役とが定められている。
持ち越される役としては、特別役（ＢＢ及びＲＢ）が挙げられる。ＢＢ又はＲＢに当選したときは、リール３１の停止時に、ＢＢ又はＲＢに対応する図柄の組合せが有効ラインに停止するまでの遊技において、ＢＢ又はＲＢの当選を次遊技以降に持ち越すように制御される。
【００３３】
このように、ＢＢ及びＲＢの当選は持ち越されるのに対し、ＢＢ及びＲＢ以外の役（小役及びリプレイ）は、持ち越されない。役の抽選において、ＢＢ及びＲＢ以外の役に当選したときは、当該遊技でのみその当選役が有効となり、その当選は次遊技以降に持ち越されない。すなわち、これらの役に当選した遊技では、その当選した役に対応する図柄の組合せが有効ラインに停止（入賞）可能なようにリール３１が停止制御されるが、その当選役の入賞の有無にかかわらず、その遊技の終了時に、その当選役に係る権利は消滅する。
【００３４】
なお、ＢＢやＲＢに当選していない遊技中（ＢＢ又はＲＢの当選が持ち越されていない遊技中）を、「非内部中」という。また、当該遊技又はそれ以前の遊技においてＢＢ又はＲＢに当選しているが、当選したＢＢ又はＲＢに対応する図柄の組合せが有効ラインに停止していない（入賞していない）遊技中（ＢＢ又はＲＢの当選が持ち越されている遊技中）を「内部中」という。
【００３５】
遊技の開始時には、遊技者は、ベットスイッチ４０を操作して予め貯留されたメダルを投入するか、又はメダル投入口４３からメダルを投入し、スタートスイッチ４１をオンする。スタートスイッチ４１が操作されると、そのときに発生する信号が遊技制御手段６０に入力される。遊技制御手段６０（具体的には、後述するリール制御手段６３）は、この信号を受信すると、全てのモータ３２を駆動制御して、全てのリール３１を回転させるように制御する。このようにしてリール３１がモータ３２によって回転されることで、リール３１上の図柄は、所定の速度で表示窓１１内で上下方向に移動表示される。
【００３６】
そして、遊技者は、ストップスイッチ４２を押すことで、そのストップスイッチ４２に対応するリール３１（例えば、左ストップスイッチ４２に対応する左リール３１）の回転を停止させる。ストップスイッチ４２が操作されると、そのときに発生する信号が遊技制御手段６０に入力される。遊技制御手段６０（具体的には、後述するリール制御手段６３）は、この信号を受信すると、そのストップスイッチ４２に対応するモータ３２を駆動制御して、そのモータ３２に係るリール３１の停止制御を行う。そして、全てのリール３１の停止時に、有効ライン上に停止したリール３１上の図柄の組合せが予め定められたいずれかの役の図柄の組合せと一致し、その役の入賞となったときは、成立役に応じてメダルの払出し等が行われる。
【００３７】
図１に示すように、遊技制御手段６０は、以下の役抽選手段６１等を備える。なお、本実施形態における以下の各手段は例示であり、遊技制御手段６０は、本実施形態で示した手段に限定されるものではない。
【００３８】
役抽選手段６１は、役（上述した特別役、小役、及びリプレイ）の抽選を行うものである。役抽選手段６１は、例えば、役抽選用の乱数発生手段（ハードウェア乱数等）と、この乱数発生手段が発生する乱数を抽出する乱数抽出手段と、乱数抽出手段が抽出した乱数値に基づいて、役の当選の有無及び当選役を判定する判定手段とを備えている。
【００３９】
乱数発生手段は、所定の領域（例えば１０進法で０〜６５５３５）の乱数を発生させる。乱数は、例えば２００ｎ（ナノ）ｓｅｃで１カウントを行うカウンターが０〜６５５３５の範囲を１サイクルとしてカウントし続ける乱数であり、スロットマシン１０の電源が投入されている間は、乱数をカウントし続ける。
【００４０】
乱数抽出手段は、乱数発生手段によって発生した乱数を、所定の時、本実施形態では遊技者によりスタートスイッチ４１がオンされた時に抽出する。判定手段は、乱数抽出手段により抽出された乱数値を、後述する役抽選テーブル６２と照合することにより、その乱数値が属する領域に対応する役を決定する。例えば、抽出した乱数値がリプレイの当選領域に属する場合は、リプレイの当選と判定し、非当選領域に属する場合は、非当選と判定する。
【００４１】
役抽選テーブル６２は、抽選される役の種類と、各役の当選確率とを定めたものである。図５は、役抽選テーブル６２を示す図である。図５の役抽選テーブル６２は、一例として、通常遊技中（非内部中）ものを図示している。役抽選テーブル６２は、それぞれ所定の範囲の抽選領域を有し、この抽選領域は、各役の当選領域及び非当選領域に分けられているとともに、抽選される役が、予め設定された当選確率となるように所定の割合に設定されている。
【００４２】
役抽選テーブル６２には、ＢＢ、ＲＢ、小役１、小役２、小役３、及びリプレイの当選領域及び非当選領域が設けられている。
なお、図示しないが、通常遊技中（内部中）に用いられる役抽選テーブル６２は、ＢＢ及びＲＢの当選領域が存在しない（非当選領域となっている）点で相違する。
さらに、ＢＢ遊技中及びＲＢ遊技中に用いられる役抽選テーブル６２は、図示しないが、小役１、小役２、小役３の当選領域及び非当選領域が設けられているとともに、小役３の当選確率が高く設定されている。
【００４３】
説明を図１に戻す。
リール制御手段６３は、先ず、スタートスイッチ４１が操作されたときに、全て（３つ）のリール３１の回転を開始するように制御するものである。さらに、リール制御手段６３は、ストップスイッチ４２が操作されたときに、役抽選手段６１による役の抽選結果と、ストップスイッチ４２が操作されたときのタイミングとに基づいて、後述する停止位置決定テーブル６３ａを参照してそのストップスイッチ４２に対応するリール３１の停止位置を決定するとともに、モータ３２を駆動制御して、その決定した位置にそのリール３１を停止させるように制御するものである。
【００４４】
例えば、リール制御手段６３は、役に当選した遊技では、リール３１の停止制御の範囲内において、当選役に対応する図柄の組合せを有効ラインに停止させるようにリール３１を停止制御するとともに、当選役以外の役に対応する図柄の組合せを有効ラインに停止させないようにリール３１を停止制御する。
【００４５】
ここで、「リール３１の停止制御の範囲内」とは、ストップスイッチ４２が操作された瞬間（リール停止受付け位置）からリール３１が実際に停止する（リール停止位置）までのリール３１の回転量（移動図柄数）の範囲内を意味し、本実施形態では、ストップスイッチ４２が操作された瞬間の図柄から数えて５図柄以内に設定されている
【００４６】
これにより、ストップスイッチ４２の操作を検知した瞬間の図柄から数えてリール３１の停止制御の範囲内にある図柄数（５図柄）先までの図柄のいずれかが有効ラインに停止させるべき図柄であるときは、ストップスイッチ４２が操作されたときに、その図柄が有効ラインに停止するように制御されることとなる。
【００４７】
すなわち、役の当選時にストップスイッチ４２が操作された瞬間に直ちにリール３１を停止させると、当選した役に係るその図柄が有効ラインに停止しないときには、リール３１の停止時に、リール３１の停止制御の範囲内においてリール３１を回転移動制御することで、当選した役に係る図柄ができる限り有効ラインに停止させるように制御するものである。
【００４８】
また逆に、ストップスイッチ４２が操作された瞬間に直ちにリール３１を停止させると、当選していない役に対応する図柄の組合せが有効ラインに停止してしまうときは、リール３１の停止時に、リール３１の停止制御の範囲内においてリール３１を回転移動制御することで、当選していない役に対応する図柄の組合せが有効ラインに停止しないように制御する。
【００４９】
停止位置決定テーブル６３ａは、役抽選手段６１による役の抽選結果と、ストップスイッチ４２が操作された瞬間のリール３１の位置（リール停止受付け位置）とから、リール３１の図柄の停止位置を定めたものである。
【００５０】
先ず、当選役ごとの停止位置決定テーブル６３ａの特徴について説明する。
ＢＢテーブルは、当該遊技でＢＢに（単独）当選したこと、又は当該遊技以前の遊技でＢＢに当選し、かつ当該遊技では非当選であることを条件として用いられ、リール３１の停止制御の範囲内においてＢＢに対応する図柄の組合せを有効ラインに停止させるとともに、ＢＢ以外の役に対応する図柄の組合せを有効ラインに停止させないように、リール３１の停止時の図柄の組合せを定めたものである。
ＲＢテーブルについても、上記ＢＢテーブルと同様であり、ＢＢテーブルにおける「ＢＢ」を、「ＲＢ」と読み替えたものに相当する。
【００５１】
また、小役１テーブルは、当該遊技で小役１に当選したことを条件として用いられ、リール３１の停止制御の範囲内において小役１に対応する図柄の組合せを有効ラインに停止させるとともに、小役１以外の役に対応する図柄の組合せを有効ラインに停止させないように、リール３１の停止時の図柄の組合せを定めたものである。
小役２テーブル、小役３テーブル、リプレイテーブルについても、上記の小役１テーブルと同様であり、小役１テーブルにおける「小役１」を、「小役２」、「小役３」、「リプレイ」と読み替えたものに相当する。
【００５２】
さらに、非当選テーブルは、通常遊技中において特別役の当選を持ち越していない非当選時の遊技、及び特別遊技中における非当選時の遊技で用いられ、いずれかの役に対応する図柄の組合せが有効ラインに停止しないように、リール３１の停止時の図柄の組合せを定めたものである。
【００５３】
なお、特別役の当選を持ち越している遊技中（内部中）にいずれかの小役に当選したときは、特別役に対応する図柄の組合せを有効ラインに停止させることを優先し、特別役に対応する図柄の組合せを有効ラインに停止させることができないときは、次に、当選した小役に対応する図柄の組合せを有効ラインに停止させるようにし、さらに、当選した小役に対応する図柄の組合せを有効ラインに停止させることができない場合には、いずれの役に対応する図柄の組合せも有効ラインに停止させないようにリール３１の停止位置を定めた停止位置決定テーブル６３ａが用いられる。
【００５４】
同様に、特別役の当選を持ち越している遊技中（内部中）にリプレイに当選したときは、リプレイに対応する図柄の組合せを有効ラインに停止させることを優先し、リプレイに対応する図柄の組合せを有効ラインに停止させることができないときは、次に、特別役に対応する図柄の組合せを有効ラインに停止させるようにし、さらに、特別役に対応する図柄の組合せを有効ラインに停止させることができない場合には、いずれの役に対応する図柄の組合せも有効ラインに停止させないようにリール３１の停止位置を定めた停止位置決定テーブル６３ａが用いられる。
【００５５】
以上の停止位置決定テーブル６３ａを用いて、リール制御手段６３は、いずれかの役に対応する図柄の組合せを有効ラインに停止させるときは、リール３１の停止制御の範囲内において、その役に対応する図柄の組合せを構成する図柄を有効ラインに停止させるように制御する。
【００５６】
次に、各リール３１ごとの停止位置決定テーブル６３ａの選択（決定）方法について説明する。
上記のＢＢテーブル、ＲＢテーブル等は、実際には、各リール３１ごとの停止位置決定テーブル６３ａに分けられている。
図６は、１つのリール３１の停止位置決定テーブル６３ａの例を示す図であり、左リール３１の場合を示している。図６に示すように、停止位置決定テーブル６３ａは、停止受付け位置（停止受付け時の図柄番号）、移動図柄数、停止位置との関係を定めている。なお、図６では、図柄配列（図２で示した左リール３１の図柄配列）を併せて示している。
【００５７】
また、図６では、停止受付け位置（停止受付け時の図柄番号）は、所定の基準位置における図柄番号を示している。そして、本実施形態では、水平方向中段の有効ラインＬ１を基準としている。
図６において、例えば、図柄番号８番の「スイカ」の図柄が有効ラインＬ１上に位置する瞬間に（左）ストップスイッチ４２が操作されたときは、移動図柄数は「２」であるので、その図柄（８番の「スイカ」）を含めて２図柄だけ移動制御され、７番の「ＲＰ」の図柄が有効ラインＬ１上に停止する。
【００５８】
図６の停止位置において、「↑」は、その位置では図柄は停止せず、移動制御されることを意味し、「○」は、その位置で図柄が停止することを意味している。また、例えば１９番の「ＢＡＲ」の図柄が有効ラインＬ１上に位置する瞬間にストップスイッチ４２が操作されたときは、その位置でも停止可能であるが、図６の停止位置決定テーブル６３ａに従えば、移動図柄数は「２」であるので、１８番の「ＲＰ」の図柄が有効ラインＬ１上に停止することとなる。
【００５９】
先ず、第１（本実施形態では、左）リール３１を停止するときに用いられる停止位置決定テーブル６３ａとして、１１番から１７番までの停止位置決定テーブル６３ａが設けられている。なお、各番号ごとに、図６で示したような停止位置決定テーブル６３ａが予め設けられている。
【００６０】
図７は、役の抽選結果ごとの第１リール３１の停止位置決定テーブル６３ａのテーブル番号を示す図である。図７に示すように、当選役が決定すると、第１リール３１については、一対一で、停止位置決定テーブル６３ａが定められる。例えば当該遊技で非当選であったときは、第１リール３１の停止位置決定テーブル６３ａとして、１７番の停止位置決定テーブル６３ａが選択される。
【００６１】
また、第１リール３１に対応するストップスイッチ４２が操作され、第１リール３１の停止受付け位置（停止受付け時の図柄番号）が決定すると、第２（本実施形態では中）リール３１、及び第３（本実施形態では右）リール３１の停止位置決定テーブル６３ａの基準（テーブル）番号（Ｅ１、Ｅ２）が選択される。
【００６２】
ここで、リール制御手段６３は、図１に示すように基準番号決定テーブル６３ｂを備える。図８は、基準番号決定テーブル６３ｂを示す図である。基準番号決定テーブル６３ｂは、第１リール３１の停止受付け位置（停止受付け時の図柄番号）と、第２リール３１の停止位置決定テーブル６３ａの基準番号、及び第３リール３１の停止位置決定テーブル６３ａの基準番号との関係を定めている。
【００６３】
図８において、例えば第１リール３１の停止受付け位置（停止受付け時の図柄番号）が５番であったとき、第２リール３１の停止位置決定テーブル６３ａの基準番号は、２６番に決定される。また、第３リール３１の停止位置決定テーブル６３ａの基準番号は、５６番に決定される。
なお、図８に示す各番号（２１番〜４１番、及び５１番〜７１番）にそれぞれ対応する停止位置決定テーブル６３ａ（図６に示したもの）が予め設けられている。
【００６４】
さらに、第１リール３１の停止受付け位置が決定すると、第２リール及び第３リール３１に対応するパターンが決定される。
ここで、リール制御手段６３は、図１に示すようにパターン決定テーブル６３ｃを備える。図９は、パターン決定テーブル６３ｃを示す図である。パターン決定テーブル６３ｃは、第１リール３１の停止受付け位置と、第２リール３１及び第３リール３１の各パターン（Ｃ１、Ｃ２）との関係を定めたものである。図９において、例えば第１リール３１の停止受付け位置（図柄番号）が１０番であったときは、第２リール３１のパターンは、パターン４に決定され、第３リール３１のパターンは、パターン２に決定される。なお、パターンは、パターン１からパターン４までの４種類を備え、いずれか１つのパターンに決定される。
【００６５】
さらにまた、リール制御手段６３は、図１に示すように変動データテーブル６３ｄ（Ｄ１、Ｄ２）を備える。図１０は、変動データテーブル６３ｄを示す図である。変動データテーブル６３ｄは、第「Ｎ」リール３１の停止受付け位置の図柄番号＋第「Ｎ−１」リール３１の移動図柄数（Ｎは、２又は３）で求められる所定値（Ａ１、Ａ２）と、パターン１〜パターン４のいずれかとに対応する変数（Ｂ１、Ｂ２）を定めたものである。例えば停止受付け位置の図柄番号＋移動図柄数が１５であり、パターンがパターン２であったとき、変数は、＋１となる。
【００６６】
第２リール３１に対応するストップスイッチ４２が操作されると、リール制御手段６３は、そのときの第２リール３１の停止受付け位置を判別する。ここで、第２リール３１が中リール３１であり、８番の「チェリー」が停止受付け位置であると仮定する。次に、第２リールの停止受付け位置（図柄番号）に、前述の第１リール３１の移動図柄数を加算して所定値を求める。上述したように、第１リール３１の移動図柄数が「２」の場合には、所定値は、８＋２＝１０となる。
次に、第２リール３１に対応するパターンをパターン４としたとき、所定値「１０」と、「パターン４」に対応する変数は、「＋１」となる。
【００６７】
さらに、この「＋１」を、既に決定した第２リール３１の停止位置決定テーブル６３ａの基準番号に加算したものが、当該遊技で用いる第２停止位置決定テーブル６３ａとなる。第２リール３１の停止位置決定テーブル６３ａの基準番号は、２６番であったので、これに「＋１」を加算すると、２７番となる。よって、第２リール３１については、２７番の停止位置決定テーブル６３ａを用いて停止制御する。なお、第２リール３１の停止時に、２７番の停止位置決定テーブル６３ａを用いた結果、移動図柄数は、１であったと仮定する。
【００６８】
次に、第３リール３１に対応するストップスイッチ４２が操作されると、リール制御手段６３は、そのときの第３リール３１の停止受付け位置を判別する。ここで、第３リール３１が右リール３１であり、１３番の「７」が停止受付け位置（図柄番号）であると仮定する。次に、第３リールの停止受付け位置の図柄番号に、前述の第２リール３１の移動図柄数を加算して所定値を算出する。上述したように、第２リール３１の移動図柄数は「１」であったので、所定値は、１３＋１＝１４となる。
【００６９】
次に、上述したように、第３リール３１に対応するパターンをパターン２としたとき、所定値「１４」と、パターン２に対応する変数を決定する。よって、図１０より、「１４」と「パターン２」とに対応する変数は、「＋２」となる。
【００７０】
次に、この「＋２」を、既に決定した第３リール３１の停止位置決定テーブル６３ａの基準番号に加算し、当該遊技で用いる第３リール３１の停止位置決定テーブル６３ａを決定する。第３リール３１の停止位置決定テーブル６３ａの基準番号は、５６番であったので、これに「＋２」を加算して、５８番となる。よって、第３リール３１については、５８番の停止位置決定テーブル６３ａを用いて停止制御する。
【００７１】
説明を図１に戻す。
停止図柄判断手段６４は、リール３１の停止時に、有効ラインに停止したリール３１の図柄の組合せが、いずれかの役に対応する図柄の組合せと一致するか否かを判断するものである。停止図柄判断手段６４は、例えばモータ３２の停止時の角度やステップ数等を検知することにより、有効ライン上の図柄を判断する。
【００７２】
ただし、停止図柄判断手段６４は、ストップスイッチ４２が操作され、停止位置決定テーブル６３ａを用いて停止位置が決定された時に、そのリール３１が停止したか否かにかかわらず、停止図柄を判断することが可能である。
【００７３】
払出し手段６５は、停止図柄判断手段６４により、リール３１の停止時に有効ラインに停止した図柄の組合せがいずれかの役に対応する図柄の組合せと一致すると判断され、その役の入賞となったときに、その入賞役に応じて所定枚数のメダルを遊技者に対して払い出すか、又はクレジットの加算等の処理を行うものである。また、リプレイの入賞時は、メダルを払い出すことなく、当該遊技で投入されたメダル枚数を自動投入するように制御する。
【００７４】
演出制御手段６６は、上述した演出出力機器（ランプ２１、スピーカ２２、及び画像表示装置２３）からの演出の出力を制御するものである。
演出制御手段６６は、遊技ごとに、役抽選手段６１による役の抽選結果に基づいて、演出パターンを選択する。特に本実施形態では、複数種類の演出パターンが予め設けられている。そして、演出制御手段６６は、遊技の開始時等に、役抽選手段６１による役の抽選が行われた後、ソフトウェア乱数を用いた抽選によっていずれか１つの演出パターンを選択する。
【００７５】
また、演出パターンは、当選役に応じて、それぞれ複数種類が設けられている。例えば、特別役当選時、小役当選時、リプレイ当選時、非当選時等ごとに、それぞれ複数種類の演出パターンが設けられている。
演出パターンは、遊技の進行に伴って、どのようなタイミングで（スタートスイッチ４１の操作時や各ストップスイッチ４２の操作時等）、どのような演出を出力するか（ランプ２１をどのように点灯、点滅又は消灯させるか、スピーカ２２からどのようなサウンドを出力するか、及び画像表示装置２３にどのような画像を表示させるか等）を定めたものである。
そして、演出制御手段６６は、選択した演出パターンに従い、所定のタイミングで演出出力機器から演出を出力するように制御する。
【００７６】
続いて、本発明による遊技での処理の流れをフローチャートに基づき、説明する。図１１及び図１２は、１遊技において、上述した停止位置決定テーブル６３ａの選択（決定）の流れを示すフローチャートである。図１２は、図１１に続くフローチャートである。
図１１のステップＳ１１において、遊技制御手段６０は、ベットスイッチ４０が操作されたか否か（メダル投入口４３からメダルが投入されたか否かを含む）を判断する。ベットスイッチ４０が操作されたと判断したときは、次のステップＳ１２に進み、遊技制御手段６０は、スタートスイッチ４１が操作されたか否かを判断する。スタートスイッチ４１が未だ操作されていないと判断したときはステップＳ１１に戻り、スタートスイッチ４１が操作されたと判断したときはステップＳ１３に進む。
【００７７】
ステップＳ１３では、役抽選手段６１は、役の抽選を行う。次にステップＳ１４に進み、リール制御手段６３は、第１リール３１に係る停止位置決定テーブル６３ａのテーブル番号を選択する。選択される停止位置決定テーブル６３ａのテーブル番号としては、図７に示した１１番〜１７番までのいずれかである。
【００７８】
次にステップＳ１５に進み、遊技制御手段６０は、第１（１番目の）ストップスイッチ４２が操作されたか否かを判断し続ける。操作されたと判断したときはステップＳ１６に進み、リール制御手段６３は、第１リール３１の停止受付け位置を決定する（ストップスイッチ４２が操作された瞬間の有効ラインＬ１上の図柄を判別する）。そしてステップＳ１７に進み、リール制御手段６３は、ステップＳ１４で選択した第１リール３１用の停止位置決定テーブル６３ａと、ステップＳ１６で決定した第１リール３１の停止受付け位置とから、第１リール３１の停止位置を決定する。そして、次のステップＳ１８で、リール制御手段６３は、第１リール３１を停止制御する。
【００７９】
次にステップＳ１９に進み、リール制御手段６３は、第２リール３１及び第３リール３１のそれぞれの停止位置決定テーブル６３ａの基準番号を決定する。上述したように、第１リール３１の停止受付け位置（図柄番号）から、第２リール３１及び第３リール３１のそれぞれの停止位置決定テーブル６３ａの基準番号が決定される（図８）。
次のステップＳ２０では、リール制御手段６３は、第２リール３１及び第３リール３１のパターンを決定する（図９）。これも同様に、第１リール３１の停止受付け位置（図柄番号）に従って決定される。
【００８０】
ステップＳ２１では、リール制御手段６３は、第１リール３１の移動図柄数を、所定の記憶素子又は装置（ＲＡＭ等）に記憶する。移動図柄数は、第１リールの停止受付け位置と選択した第１リール３１の停止位置決定テーブル６３ａ（又は第１リール３１の停止位置）とから求めることができる。
次にステップＳ２２に進み、遊技制御手段６０は、第２ストップスイッチが操作されたか否かを判断し続ける。操作されたと判断したときはステップＳ２３に進み、リール制御手段６３は、第２リール３１の停止受付け位置を決定する（ストップスイッチ４２が操作された瞬間の有効ラインＬ１上の図柄を判別する）。
【００８１】
そして、ステップＳ２４に進んで、リール制御手段６３は、第２リール３１の停止受付け位置の図柄番号と第１リール３１の移動図柄数とを加算して所定値を決定する。さらに次のステップＳ２５で、その所定値と（ステップＳ２０で選択した）パターンとに対応する変数を決定する（図１０）。
次のステップＳ２６では、リール制御手段６３は、第２リール３１の停止位置決定テーブルの基準番号（ステップＳ１９で決定したもの）に、ステップＳ２５で算出した変数を加算し、当該遊技での第２リール３１の停止位置決定テーブル６３ａの番号を決定する。
【００８２】
次のステップＳ２７では、リール制御手段６３は、第２リール３１の停止位置を決定する。そして、次のステップＳ２８で、リール制御手段６３は、第２リール３１を停止制御する。さらに次のステップＳ２９では、リール制御手段６３は、第２リール３１の移動図柄数を、所定の記憶素子又は装置に記憶する。移動図柄数は、第２リールの停止受付け位置と停止位置決定テーブル６３ａ（又は第２リール３１の停止位置）とから求めることができる。
【００８３】
次にステップＳ３０に進み、遊技制御手段６０は、第３ストップスイッチが操作されたか否かを判断し続ける。操作されたと判断したときはステップＳ３１に進み、リール制御手段６３は、第３リール３１の停止受付け位置を決定する（ストップスイッチ４２が操作された瞬間の有効ラインＬ１上の図柄を判別する）。
【００８４】
そして、ステップＳ３２に進んで、リール制御手段６３は、第３リール３１の停止受付け位置の図柄番号と第２リール３１の移動図柄数とを加算して所定値を決定する。さらに次のステップＳ３３で、その所定値と（ステップＳ２０で選択した）パターンとに対応する変数を算出する（図１０）。
次のステップＳ３４では、リール制御手段６３は、第３リール３１の停止位置決定テーブルの基準番号（ステップＳ１９で決定したもの）に、ステップＳ３３で算出した変数を加算し、当該遊技での第３リール３１の停止位置決定テーブル６３ａの番号を決定する。
【００８５】
次のステップＳ３５では、リール制御手段６３は、第３リール３１の停止位置を決定する。そして、次のステップＳ３６で、リール制御手段６３は、第３リール３１を停止制御する。
【００８６】
次のステップＳ３７では、停止図柄判断手段６４は、有効ライン上に、役に対応する図柄の組合せが停止したか否かを判断する。停止したと判断したときはステップＳ３８に進み、払出し手段６５は、入賞した役に対応するメダルの払出し（又はクレジットへの加算）を行う。リプレイの入賞時には、当該遊技で投入されたメダル枚数を自動投入するように制御する。そして、本フローチャートによる処理を終了する。
【００８７】
一方、ステップＳ３７で、役に対応する図柄の組合せが停止していないと判断されたときは、ステップＳ３８の処理を行うことなく、本フローチャートによる処理を終了する。
なお、フローチャートでは図示していないが、遊技の終了時に、当該遊技で記憶した移動図柄数は消去される。
【００８８】
以上、本発明の一実施形態について説明したが、本発明は、上述した実施形態に限定されることなく、以下のような種々の変形が可能である。
（１）例えば、本実施形態では遊技媒体としてメダルを用いたが、遊技球を用いたスロットマシン（パロット）等、メダル以外の遊技媒体を用いるスロットマシンであっても本発明を適用することができる。
【００８９】
（２）本実施形態では、基準番号決定テーブル６３ｂ、パターン決定テーブル６３ｃ、及び変動データテーブル６３ｄを用いて、当該遊技における第２リール３１及び第３リール３１用の停止位置決定テーブル６３ａを選択したが、本実施形態で示した方法以外にも、第１リール３１の停止受付け位置、及び第１リール３１の移動図柄数（又は第１リール３１の停止位置）に基づいて、第２リール３１の停止位置決定テーブル６３ａを決定することができる。同様に、第１リール３１の停止受付け位置、第１リール３１の移動図柄数（又は第１リール３１の停止位置）、第２リール３１の停止受付け位置、及び第２リール３１の移動図柄数（又は第２リール３１の停止位置）に基づいて、第３リール３１の停止位置決定テーブル６３ａを決定することができる。
【００９０】
（３）図１１及び図１２で示したフローチャートにおいて、処理の順序は、必ずしも図示した順序に限られない。例えば、ステップＳ１６からステップＳ２１までの処理において、ステップＳ１７はステップＳ１６の後であり、ステップＳ１８はステップＳ１７の後であり、ステップＳ１９、ステップＳ２０、及びステップＳ２１は、それぞれステップＳ１６の後であれば、それ以外は、いかなる順序で処理を行っても良い。
【図面の簡単な説明】
【００９１】
【図１】本実施形態におけるスロットマシンの制御の概略を示すブロック図である。
【図２】本実施形態のリールを展開して示す図である。
【図３】表示窓と、リールと、有効ラインとの関係を示す図である。
【図４】役の種類、払出し枚数等、及び図柄の組合せを示す図である。
【図５】役抽選テーブルを示す図である。
【図６】１つのリールの停止位置決定テーブルの例を示す図である。
【図７】役の抽選結果ごとの第１リールの停止位置決定テーブルのテーブル番号を示す図である。
【図８】基準番号決定テーブルを示す図である。
【図９】パターン決定テーブルを示す図である。
【図１０】変動データテーブルを示す図である。
【図１１】１遊技において、停止位置決定テーブルの選択（決定）の流れを示すフローチャートである。
【図１２】図１１に続くフローチャートである。
【符号の説明】
【００９２】
１０  スロットマシン
１１  表示窓
２１  ランプ
２２  スピーカ
２３  画像表示装置
３１  リール
３２  モータ
４０  ベットスイッチ
４１  スタートスイッチ
４２  ストップスイッチ
４３  メダル投入口
６０  遊技制御手段
６１  役抽選手段
６２  役抽選テーブル
６３  リール制御手段
６３ａ  停止位置決定テーブル
６３ｂ  基準番号決定テーブル
６３ｃ  パターン決定テーブル
６３ｄ  変動データテーブル
６４  停止図柄判断手段
６５  払出し手段
６６  演出制御手段
Ｌ１〜Ｌ５  有効ライン
【図１】
2009125390.tif 000003
【図２】
2009125390.tif 000004
【図３】
2009125390.tif 000005
【図４】
2009125390.tif 000006
【図５】
2009125390.tif 000007
【図６】
2009125390.tif 000008
【図７】
2009125390.tif 000009
【図８】
2009125390.tif 000010
【図９】
2009125390.tif 000011
【図１０】
2009125390.tif 000012
【図１１】
2009125390.tif 000013
【図１２】
2009125390.tif 000014